(57)【要約】【課題】電子ペーパー装置の複数のページの画像を容易且つ適切に読み取ることができるようにする。【解決手段】電子ペーパー装置を、複数のページのデータを記憶するメモリー５４と、データに基づいていずれかのページの画像を表示する電子ペーパー部５８と、表示させるページを複写機１の画像読取タイミングにあうように複合機１による直接的な制御によらずに切り替える制御部５７とを有するように構成する。【選択図】図２
2010175929.tif 000002
【特許請求の範囲】
【請求項１】
複数のページを表示可能な電子ペーパー装置であって、
複数のページのデータを記憶する記憶手段と、
前記データに基づいていずれかのページの画像を表示する表示手段と、
前記表示させるページを、画像読取装置による直接的な制御によらずに前記画像読取装置の画像読取タイミングにあうように切り替える切替手段と
を有する電子ペーパー装置。
【請求項２】
前記画像読取装置は、画像読取時に読取対象媒体に光を照射し、反射光に基づいて画像データを生成し、
前記電子ペーパー装置は、
光を検出する光学センサーを有し、
前記切替手段は、前記光学センサーが前記画像読取装置の画像読取時の前記光を検知したことに基づいて、表示させるページを切り替える
請求項１に記載の電子ペーパー装置。
【請求項３】
前記表示手段は、矩形の表示エリアを有し、
前記表示エリアの少なくとも一組の対角のそれぞれの角の近傍に前記光学センサーが配置されている
請求項２に記載の電子ペーパー装置。
【請求項４】
前記切替手段は、予め設定された回数だけ、表示させるページを順次切り替える
請求項１乃至請求項３のいずれか一項に記載の電子ペーパー装置。
【請求項５】
前記画像読取装置による読み取りを行う読取モードの実行指示を受け付ける実行指示受付手段と、
前記読取モードの実行指示を受け付けた場合に、前記読取モードの実行を開始するモード実行手段とを更に有し、
前記切替手段は、前記読取モードの実行時に、表示させるページを順次切り替える
請求項１乃至請求項４のいずれか一項に記載の電子ペーパー装置。
【請求項６】
前記画像読取装置による読み取りに関わる読取条件を受け付ける読取条件受付手段と、
前記読取条件の画像を前記表示手段により表示させる条件表示制御手段と
を更に有する請求項１乃至請求項５のいずれか一項に記載の電子ペーパー装置。
【請求項７】
前記読取条件は、少なくとも、読み取るページ数、読み取る部数、又は読み取るべき読取エリアの位置情報のいずれかを含む
請求項６に記載の電子ペーパー装置。
【請求項８】
画像を表示させる表示手段を有する電子ペーパー装置の画像を光学的に読み取る画像読取装置であって、
前記電子ペーパー装置は、ページの画像についての前記画像読取装置による読み取りに関わる読取条件の画像を表示させる条件表示制御手段を有しており、
前記画像読取装置は、
前記画像を光学的に読み取って画像データを生成する読取手段と、
前記画像データに基づいて前記読取条件を認識する条件認識手段と、
前記読取条件に従って読取手段による読取動作を制御する読取制御手段と
を有する画像読取装置。
【請求項９】
前記読取条件には、読み取るページ数の指定が含まれており、
前記読取制御手段は、前記読取手段に、前記ページ数分繰り返して画像の読み取りを実行させる
請求項８に記載の画像読取装置。
【請求項１０】
前記読取条件には、読み取るべき読取エリアの位置情報が含まれており、
前記読取制御手段は、前記位置情報に基づいて、前記読取手段に前記読取エリアの画像のみの画像データを生成させる
請求項８又は請求項９に記載の画像読取装置。
【請求項１１】
複数のページを表示可能な電子ペーパー装置と、前記電子ペーパー装置の画像を光学的に読み取る画像読取装置とを有する画像読取システムであって、
前記電子ペーパー装置は、
複数のページのデータを記憶する記憶手段と、
前記データに基づいていずれかのページの画像を表示する表示手段と、
前記表示させるページを、画像読取装置による直接的な制御によらずに前記画像読取装置の画像読取タイミングにあうように切り替える切替手段と
を有し、
前記画像読取装置は、
前記電子ペーパー装置の画像を光学的に読み取って画像データを生成する読取手段と、
前記読取手段による読取動作を複数回制御する読取制御手段と
を有する画像読取システム。
【発明の詳細な説明】
【技術分野】
【０００１】
本発明は、複数のページを表示可能な電子ペーパー装置における複数のページの画像を読み取る技術に関する。
【背景技術】
【０００２】
近年、紙のような使い易さがあり、省電力で自由に書き換えができる電子ペーパーを備えた電子ペーパー装置が注目されている。電子ペーパー装置には、複数のページの画像のデータをメモリーに格納しておき、所望のページの画像を表示させることができるものがある。
【０００３】
例えば、特許文献１には、複数ページ分の電子データが記憶されている電子ペーパーに対して、画像読取装置が導電部材を介して電子ペーパーと通信することにより、ページを切り替える技術が開示されている。
【先行技術文献】
【特許文献】
【０００４】
【特許文献１】特開２００８−１４１５９０号公報
【発明の概要】
【発明が解決しようとする課題】
【０００５】
例えば、特許文献１の技術によると、電子ペーパーと、画像読取装置との間で、互いに接触するための導電部材を備える必要があり、電子ペーパーと画像読取装置との間でハードウエア構成を対応させておく必要がある。このため、読取を実現できる画像読取装置が限られてしまう。また、既存の画像読取装置を用いて電子ペーパーを読み取るようにすることは困難である。
【０００６】
また、特許文献１の技術によると、画像読取装置が電子ペーパーと通信して、ページを切り替えるようにしているので、画像読取装置と電子ペーパーとで共通のプロトコルで通信できるように構成しておかなければならないという問題がある。
【０００７】
本発明は、上記課題に鑑みなされたものであり、その目的は、電子ペーパー装置の複数のページの画像を容易且つ適切に読み取ることができるようにする技術を提供することにある。
【課題を解決するための手段】
【０００８】
上記目的達成のため、本発明の第１の観点に係る電子ペーパー装置は、複数のページを表示可能な電子ペーパー装置であって、複数のページのデータを記憶する記憶手段と、データに基づいていずれかのページの画像を表示する表示手段と、表示させるページを画像読取装置による直接的な制御によらずに画像読取装置の画像読取タイミングにあうように切り替える切替手段とを有する。係る電子ペーパー装置によると、画像読取装置による直接的な制御によらずに、画像読取タイミングにあうように表示させるページを切り替えるようにしているので、画像読取装置が直接的な制御をすることなく、電子ペーパー装置の複数のページを読み取ることができる。
【０００９】
上記電子ペーパー装置において、画像読取装置は、画像読取時に読取対象媒体に光を照射し、反射光に基づいて画像データを生成し、電子ペーパー装置は、光を検出する光学センサーを有し、切替手段は、光学センサーが画像読取装置の画像読取時の光を検出したことに基づいて、表示させるページを切り替えるようにしてもよい。係る電子ペーパー装置によると、画像読取装置の画像読取時の光を検出したことに基づいて表示させるページを切り替えるようにしているので、画像読取装置の次の画像読取動作時に電子ペーパー装置の異なるページを適切に読み取らせることができる。
【００１０】
また、上記電子ペーパー装置において、表示手段は、矩形の表示エリアを有し、表示エリアの少なくとも一組の対角のそれぞれの角の近傍に光学センサーが配置されていてもよい。係る電子ペーパー装置によると、例えば、原稿台に原稿を載置させておき、ラインイメージスキャナを走査させて画像を読み取る画像読取装置において、電子ペーパー装置を原稿台に対して縦横のどちらの向きに載置させたとしても、適切に表示エリアの画像の読取が完了したことを適切に把握することができる。
【００１１】
また、上記電子ペーパー装置において、切替手段は、予め設定された回数だけ、表示させるページを順次切り替えるようにしてもよい。係る電子ペーパー装置によると、予め設定された回数だけ、ページを順次切り替えることができ、画像読取装置において、複数のページを読み取ることができる。
【００１２】
また、上記電子ペーパー装置において、画像読取装置による読取を行う読取モードの実行指示を受け付ける実行指示受付手段と、読取モードの実行指示を受け付けた場合に、読取モードの実行を開始するモード実行手段とを更に有し、切替手段は、読取モードの実行時に、表示させるページを順次切り替えるようにしてもよい。係る電子ペーパー装置によると、画像読取装置による読み取りを行う読取モードにおいて、表示させるページを切り替えることができる。
【００１３】
また、上記電子ペーパー装置において、画像読取装置による読み取りに関わる読取条件を受け付ける読取条件受付手段と、読取条件の画像を前記表示手段により表示させる条件表示制御手段とを更に有するようにしてもよい。係る電子ペーパー装置によると、読み取りに関わる読取条件を画像として表示させることができるので、画像読取装置では、読取条件の画像を読み取ることにより、適切に読取条件を把握することができる。これにより、画像読取装置と電子ペーパー装置との間でのデータ通信を行う構成を備えなくともよい。
【００１４】
また、上記電子ペーパー装置において、読取条件は、少なくとも、読み取るページ数、読み取る部数、又は読み取るべき読取エリアの位置情報のいずれかを含むようにしてもよい。係る電子ペーパー装置によると、読み取るページ数、読み取る部数、読み取るべき読取エリアの位置情報を適切に画像読取装置に把握させることができる。
【００１５】
また、上記目的達成のため、本発明の第２の観点に係る画像読取装置は、画像を表示させる表示手段を有する電子ペーパー装置の画像を光学的に読み取る画像読取装置であって、電子ペーパー装置は、ページの画像についての画像読取装置による読取に関わる読取条件の画像を表示させる条件表示制御手段を有しており、画像読取装置は、画像を光学的に読み取って画像データを生成する読取手段と、画像データに基づいて読取条件を認識する条件認識手段と、読取条件に従って読取手段による読取動作を制御する読取制御手段とを有する。係る画像読取装置によると、電子ペーパー装置から読取条件を受け取って、読取条件による読取動作を行うことができる。
【００１６】
上記画像読取装置において、読取条件には、読み取るページ数の指定が含まれており、読取制御手段は、読取手段に、ページ数分繰り返して画像の読み取りを実行させるようにしてもよい。係る画像読取装置によると、読取条件に指定されたページ数の画像を適切に読み取ることができる。
【００１７】
また、上記画像読取装置において、読取条件には、読み取るべき読取エリアの位置情報が含まれており、読取制御手段は、読取手段に、読取エリアの画像のみの画像データを生成させるようにしてもよい。係る画像読取装置によると、指定された読取エリアの画像のみの画像データを生成することができる。
【００１８】
また、上記目的達成のため、本発明の第３の観点に係る画像読取システムは、複数のページを表示可能な電子ペーパー装置と、電子ペーパー装置の画像を光学的に読み取る画像読取装置とを有する画像読取システムであって、電子ペーパー装置は、複数のページのデータを記憶する記憶手段と、データに基づいていずれかのページの画像を表示する表示手段と、表示させるページを、画像読取装置による直接的な制御によらずに画像読取装置の画像読取タイミングにあうように切り替える切替手段とを有し、画像読取装置は、電子ペーパー装置の画像を光学的に読み取って画像データを生成する読取手段と、読取手段による読取動作を複数回制御する読取制御手段とを有する。係る画像読取システムによると、電子ペーパー装置が、画像読取装置による直接的な制御によらずに、画像読取タイミングにあうように表示させるページを切り替えるようにしているので、画像読取装置が直接的な制御をすることなく、電子ペーパー装置の複数のページを読み取ることができる。
【図面の簡単な説明】
【００１９】
【図１】本発明の一実施形態に係る複合機の構成図である。
【図２】本発明の一実施形態に係る電子ペーパー装置の構成図である。
【図３】本発明の一実施形態に係る電子ペーパー装置の処理を説明するフローチャートである。
【図４】本発明の一実施形態に係る複合機の処理を説明するフローチャートである。
【発明を実施するための形態】
【００２０】
本発明の実施形態について、図面を参照して説明する。なお、以下に説明する実施形態は特許請求の範囲に係る発明を限定するものではなく、また実施形態の中で説明されている諸要素及びその組み合わせの全てが発明の解決手段に必須であるとは限らない。
【００２１】
まず、本発明の一実施形態に係る画像読取システムを構成する画像読取装置の一例としての複合機について説明する。
【００２２】
図１は、本発明の一実施形態に係る複合機の構成図である。
【００２３】
複合機１は、制御ユニット１０と、スキャナー機能部１１と、プリンター機能部１２と、ＦＡＸ（ファクシミリ）機能部１３とを有する。
【００２４】
スキャナー機能部１１は、通信Ｉ／Ｆ部３１と、制御部３２と、読取手段の一例としての読取部３３とを有する。
【００２５】
通信Ｉ／Ｆ部３１は、制御ユニット１０との通信を仲介する。読取部３３は、所定の原稿台に載置された紙、ＯＨＰシート、電子ペーパー装置等の原稿（読取対象媒体）に光源より光を照射し、反射光をＣＣＤ（Charge Coupled Device）によりデータに変換することにより画像データを生成する。本実施形態では、ライン状の光源と、リニアＣＣＤとを所定の方向（光源及びＣＣＤのラインと垂直な方向）に走査(スキャン)させつつ、光源からの光による原稿からの反射光をリニアＣＣＤにより受けて、画像データを生成する。制御部３２は、後述する機能部制御部１４ｃの制御に従って読取部３３の制御を行う。
【００２６】
プリンター機能部１２は、制御ユニット１０から渡された画像データに基づいて、例えば、紙、ＯＨＰシート、厚紙、封筒等の画像形成媒体に画像を形成する。ＦＡＸ機能部１３は、公衆回線を介して、外部のＦＡＸ装置との間でＦＡＸデータの送受信を行う。
【００２７】
制御ユニット１０は、スキャナー機能部１１、プリンター機能部１２及びＦＡＸ機能部１３に対するユーザーからの各種指示を受け付けるとともに、ユーザーへの各種情報の出力を行う。また、制御ユニット１０は、スキャナー機能部１１、プリンター機能部１２及びＦＡＸ機能部１３の統括制御を行う。具体的には、制御ユニット１０は、スキャナー機能部１１に原稿から画像を読み取る読取処理を実行させる。また、制御ユニット１０は、プリンター機能部１２に用紙に画像を形成する画像形成処理を実行させる。また、制御ユニット１０は、スキャナー機能部１１及びプリンター機能部１２を制御することにより、原稿の内容を所定の用紙に形成する、いわゆる、コピー処理を実行させる。すなわち、制御ユニット１０は、原稿の画像をスキャナー機能部１１により読み取らせてデジタル画像データを取得させ、そのデジタル画像データを所定の画像データに変換してプリンター機能部１２に送信して用紙に画像を形成させる。また、制御ユニット１０は、スキャナー機能部１１及びＦＡＸ機能部１３を制御することにより、原稿の内容をＦＡＸデータとして外部のＦＡＸ装置に送信させ、また、ＦＡＸ機能部１３及びプリンター機能部１２を制御することにより、外部のＦＡＸ装置からのＦＡＸデータを受信して、ＦＡＸデータに対応する画像を出力させる。
【００２８】
次に、制御ユニット１０のより詳細な構成について説明する。
【００２９】
制御ユニット１０において、ＣＰＵ（Central Processing Unit）１４と、ＲＯＭ（Read Only Memory）１５と、ＲＡＭ（Random Access Memory）１６と、ＥＥＰＲＯＭ（Electrically Erasable Programmable Read-Only Memory）１７と、入力インターフェース部（入力Ｉ／Ｆ部）１８と、表示処理部１９と、通信インターフェース部（通信Ｉ／Ｆ部）２０、２１、２２及び２３とがバス２４を介して接続されている。
【００３０】
ＲＯＭ１５は、ブートプログラム等のプログラムを記憶する。ＲＡＭ１６は、プログラムやデータを記憶する領域として、或いは、ＣＰＵ１４による処理に使用しているデータを格納する作業領域として利用される。ＥＥＰＲＯＭ１７は、書き換え可能な不揮発性メモリーであり、複合機１の電源が入っていない場合でも記憶しておく必要がある各種情報を記憶する。
【００３１】
入力Ｉ／Ｆ部１８には、キー部２５と、タッチパネル２６とが接続されている。入力Ｉ／Ｆ部１８は、キー部２５、タッチパネル２６からの信号をデータとして、ＣＰＵ１４に出力する。キー部２５は、スタートボタン、ストップボタン、テンキー等を有し、押下されたボタン、キーに応じた信号を入力Ｉ／Ｆ部１８に出力する。タッチパネル２６は、液晶表示装置（ＬＣＤ）２７上に重ねられて設けられており、ユーザーによって押下されたタッチパネル２６上の位置に応じた信号を入力Ｉ／Ｆ部１８に出力する。表示処理部１９は、例えば、ＶＲＡＭ（Video Random Access Memory）を有し、ＣＰＵ１４の制御により、各種画像データを生成し、当該画像データに基づく画面をＬＣＤ２７に表示出力する。
【００３２】
通信Ｉ／Ｆ部２０は、ＣＰＵ１４とスキャナー機能部１１とのデータ交換の仲介を行う。通信Ｉ／Ｆ部２１は、ＣＰＵ１４とプリンター機能部１２とのデータ交換の仲介を行う。通信Ｉ／Ｆ部２２は、ＣＰＵ１４とＦＡＸ機能部１３とのデータ交換の仲介を行う。通信Ｉ／Ｆ部２３は、図示しないネットワークと接続可能であり、ネットワークを介して他の装置とのデータ交換の仲介を行う。
【００３３】
ＣＰＵ１４は、各部１５〜２３、１１、１２、１３の動作を制御する。また、ＣＰＵ１４は、ＲＯＭ１５に格納されているプログラムをＲＡＭ１６に読み出して実行することにより、受付処理部１４ａと、条件認識手段の一例としての認識処理部１４ｂと、読取制御手段の一例としての機能部制御部１４ｃとを構成して各種処理を実行する。
【００３４】
受付処理部１４ａは、キー部２５、タッチパネル２６に対するユーザーから各種指示を受ける。本実施形態では、受付処理部１４ａは、コピーモード、ＦＡＸモード、電子ペーパー装置の画像の複写モード（読取モード）等のモード選択指示や、各種設定の選択指示等を受け付ける。
【００３５】
認識処理部１４ｂは、スキャナー機能部１１から読取条件を示す画像データを受信し、画像データから読取条件を認識し、機能部制御部１４ｃに通知する。本実施形態では、読取条件を示す画像は、ＱＲコード（登録商標）となっており、認識処理部１４ｂは、ＱＲコードの画像データから読取条件を認識し、機能部制御部１４ｃに通知する。本実施形態では、読取条件としては、例えば、読み取る部数と、読み取るページ数を示す情報（例えば、開始ページ数及び終了ページ数）と、読み取るエリア(読取エリア)を示す情報等がある。
【００３６】
機能部制御部１４ｃは、受付処理部１４ａが電子ペーパー装置の画像の複写モードの指示を受け付けた場合に、複写モードの実行を開始する。機能部制御部１４ｃは、電子ペーパー装置の画像の複写モードの場合には、認識処理部１４ｂから受け取った読取条件に従って、スキャナー機能部１１による読取動作を制御する。本実施形態では、機能部制御部１４ｃは、スキャナー機能部１１に読取条件のページ数分の読取動作を、読み取る部数回繰り返し実行させる。また、機能部制御部１４ｃは、読取条件の読取エリアの位置情報に基づいて、スキャナー機能部１１に読取エリアに対応する画像の画像データを生成させる。ここで、機能部制御部１４ｃは、スキャナー機能部１１に、読取エリアのみに光を照射させて画像データを生成させるようにしてもよく、また、読取エリアを含むエリアに光を照射させて画像データを生成させ、その画像データから読取エリアの画像の画像データを切り出させてもよい。
【００３７】
また、機能部制御部１４ｃは、プリンター機能部１２を制御して、画像データに基づいて、画像形成媒体に画像を形成させる。また、機能部制御部１４ｃは、ＦＡＸ機能部１３を制御して、ＦＡＸデータの送受信を行う。
【００３８】
図２は、本発明の一実施形態に係る電子ペーパー装置の構成図である。図２Ａは、電子ペーパー装置の機能構成図を示し、図２Ｂは、電子ペーパー装置の前面図を示している。
【００３９】
電子ペーパー装置５１は、実行指示受付手段及び読取条件受付手段の一例としての入力部５２と、通信部５３と、記憶手段の一例としてのメモリー５４と、複数の光学センサー５５（５５ａ、５５ｂ）と、表示制御部５６と、切替手段、モード実行手段及び条件表示制御手段の一例としての制御部５７と、表示手段の一例としての電子ペーパー部５８とを有する。
【００４０】
入力部５２は、ユーザーから各種指定を受け付ける。本実施形態では、入力部５２は、ユーザーから電子ペーパー装置に表示させるコンテンツの指定や、読み取らせる開始ページ数と終了ページ数、読み取らせる部数等の指定を受け付ける。また、入力部５２は、複合機１による複写（読取及び印刷）を行うための複写モード（読取モード）の実行指示を受け付ける。
【００４１】
通信部５３は、外部の装置との間で画像データの通信を行う。なお、通信方式としては、無線通信であっても、有線通信であってもよい。
【００４２】
メモリー５４は、電子ペーパー部５８に表示させる複数ページの画像のデータを記憶する。また、メモリー５４は、読取条件の一つである電子ペーパー装置５１の前面における読取エリアの位置情報を記憶する。読取エリアとしては、例えば、電子ペーパー装置５１における電子ペーパー部５８の表示エリア５８ａであってもよく、表示エリア５８ａ中の読取対象のコンテンツが表示されるエリアであってもよく、ユーザーによって指定されたエリアであってもよい。
【００４３】
光学センサー５５（５５ａ、５５ｂ）は、受光面に当たった光に応じた信号を出力する。従って、この信号により、読取部３３の光源の光が当たったか否かを判断することができる。本実施形態では、光学センサー５５ａは、図２Ｂに示すように、電子ペーパー部５８の表示エリア５８ａの少なくとも一組の対角の一方の角（図面右上）の近傍に配置され、光学センサー５５ｂは、少なくとも一組の対角の他方の角(図面左下)の近傍に配置されている。
【００４４】
このように光学センサー５５が配置されているので、電子ペーパー装置５１の前面を原稿台に対して縦方向（電子ペーパー装置５１の長辺が縦方向に向いている方向）や横方向（長辺が横方向に向いている方法）においても、検出される信号により、電子ペーパー装置５１の画像を適切にスキャンしたことが把握できる。具体的には、読取部３３の光源とＣＣＤが横方向に走査されるように電子ペーパー装置５１が載置された場合であっても、読取部３３の光源とＣＣＤが縦方向に走査されるように電子ペーパー装置５１が載置された場合であっても、画像読取開始時点において、一方の光学センサー５５によって、読取部３３の光源の光が検出され、読取終了時点においては、他方の光学センサー５５によって読取部３３の光源の光が検出されるので、これにより、１ページの画像の読取動作が終了したことを把握できる。
【００４５】
表示制御部５６は、制御部５７の制御に従って、電子ペーパー部５８に画像を表示させる制御を行う。
【００４６】
制御部５７は、各部５２〜５６を統括制御する。また、制御部５７は、通信部５３による受信した画像データをメモリー５４に格納する。また、制御部５７は、メモリー５４に格納されている画像データの画像を表示制御部５６により電子ペーパー部５８に表示させたり、入力部５２によるユーザーの指示に応じて表示制御部５６により電子ペーパー部５８に表示させるページを切り替えたりする。
【００４７】
また、制御部５７は、入力部５２からユーザーによる複写モードの開始指示を受け付けて、複写モードを実行する。また、制御部５７は、複写モードにおいて、入力部５２からユーザーによる読取条件を受け付けて、ユーザーによる読取条件と、読取エリアの位置情報の読取条件とを示すＱＲコードを生成して、表示制御部５６により電子ペーパー部５８に表示させる。
【００４８】
また、制御部５７は、複写モードにおいて、複合機１による直接的な制御によらずに複合機１の画像読取タイミングにあうように表示させるページを切り替える。本実施形態では、制御部５７は、光学センサー５５が複写機１の画像読取時の光を検知したことに基づいて、表示させるページを切り替える。具体的には、制御部５７は、光学センサー５５ａ、５５ｂの一方が読取部３３の光源の光を検知し、その後、他方が読取部３３の光源の光を検知した後において、表示制御部５６により表示させる画像を切り替える。制御部５７は、読取条件の画像を表示している場合には、読取対象の最初のページの表示に切り替えさせる。また、制御部５７は、読取対象のページを表示している場合には、読取対象の次のページの表示に切り替えさせる。このようにして、読取条件として指定されている読取対象の最初のページから読取対象の最後のページまで切り替えを行い、もし、読取条件として複数部数指定されている場合には、複数部数に相当する回数だけ、読取対象の最初から最後のページまでの切り替えを繰り返す。
【００４９】
電子ペーパー部５８は、矩形形状の表示エリア５８ａに画像を表示し、画像を電気的に変えることができるようになっている。画像を表示する方式としては、例えば、マイクロカプセル内に帯電した白黒の粒子を格納し、電圧をかけることにより粒子を異動させて表示するマイクロカプセル方式や、電子粉流体方式や、コレステリック液晶を用いて表示を行う液晶方式や、エレクトロウェッティング方式等がある。
【００５０】
次に、本実施形態に係る画像読取システムの動作を説明する。
【００５１】
図３は、本発明の一実施形態に係る電子ペーパー装置の処理を説明するフローチャートである。
【００５２】
電子ペーパー装置５１において、制御部５７は、入力部５２によってユーザーからコンテンツの選択があったか否かを判定し(ステップＳ１)、コンテンツを選択していない場合には、なにもしない。
【００５３】
一方、コンテンツの選択があった場合(ステップＳ１：ＹＥＳ)には、制御部５７は、メモリー５４から対応するコンテンツのページの画像データを取りだし、当該ページを表示制御部５６により電子ペーパー部５８に表示させる(ステップＳ２)。
【００５４】
次いで、制御部５７は、入力部５２によってユーザーから電子ペーパー装置の複写モードの実行指示があったか否かを判定し(ステップＳ３)、実行指示がない場合には、ステップＳ１に戻る。
【００５５】
一方、実行指示があった場合（ステップＳ３：ＹＥＳ）には、制御部５７は、複写モードを開始し、入力部５２によるユーザーからの読取条件を受け付ける(ステップＳ４)。
【００５６】
次いで、制御部５７は、ユーザーから受け付けた読取条件と、メモリー５４に格納されている読取エリアの位置情報の読取条件との情報を含むＱＲコードを生成し、当該ＱＲコードを表示制御部５６により電子ペーパー部５８に表示させる(ステップＳ５)。
【００５７】
次いで、制御部５７は、光学センサー５５ａ、５５ｂの両方が読取部３３の光を検知したか否かを判定し（ステップＳ６）、双方が検知していない場合には、ステップＳ６を繰り返す。一方、双方が検知した場合（ステップＳ６：ＹＥＳ）には、読取条件又は読取対象の１ページを読み取ったことを意味しているので、制御部５７は、読取対象の次のページの画像データをメモリー５４から読み出して、当該ページの画像を表示制御部５６により電子ペーパー部５８に表示させる(ステップＳ７)。次いで、制御部５７は、読取対象の全てのページの画像のスキャンが終了したか否かを判定し(ステップＳ８)、読取対象の全てのページの必要部数分のスキャンが終了していない場合には、ステップＳ６に進む。一方、読取対象の全てのページの必要部数分の画像の取込みが終了した場合には、制御部５７は、処理を終了する。
【００５８】
図４は、本発明の一実施形態に係る複合機の処理を説明するフローチャートである。
【００５９】
複合機１において、キー部２５を介してユーザーから電子ペーパー装置の画像の複写モードを開始させる指示を受け付けたか否かを判定し（ステップＳ１１）、受け付けていない場合には、ステップＳ１１に進む。
【００６０】
一方、複写モードを開始させる指示を受け付けている場合には、機能部制御部１４ｃは、複写モードの実行を開始させ、読取部３３により原稿の読取動作を実行させる(ステップＳ１２)。なお、読取部３３の原稿台には、読取条件が表示された（ステップＳ５の状態の）電子ペーパー装置５１が載置されているものとする。
【００６１】
読取部３３は、原稿台に載置された電子ペーパー装置５１に表示されている読取条件を示すＱＲコードの画像を読み取って、当該ＱＲコードの画像データを認識処理部１４ｂに渡す。認識処理部１４ｂは、受け取った画像データ中のＱＲコードを認識し、読取条件を認識する(ステップＳ１３)。
【００６２】
機能部制御部１４ｃは、キー部２５によるユーザーからの読み取り又は複写に関する追加の設定が入力されたか否かを判定する（ステップＳ１４）。ここで、追加の設定とは、例えば、図示しないソーター機能の設定や、ステープル機能の設定等がある。
【００６３】
この結果、追加の設定がある場合には、機能部制御部１４ｃは、追加の設定を反映させてステップＳ１６に進む一方、追加の設定がない場合には、何もせずにステップＳ１６に進む。
【００６４】
ステップＳ１６では、機能部制御部１４ｃは、キー部２５のスタートボタンが押下されたか否かを判定し、押下されていない場合には、ステップＳ１６に進む。
【００６５】
一方、スタートボタンが押下されている場合(ステップＳ１６：ＹＥＳ)には、機能部制御部１４ｃは、読取部３３により読取条件に従って、１回の読取動作を実行させて、読み取った画像データを受信し(ステップＳ１７)、プリンター機能部１２に送信して画像形成媒体に画像を形成させる(ステップＳ１８)。なお、読取動作が１回実行されると、電子ペーパー装置５１においては、読取対象の次ページが表示されることとなる（ステップＳ７）。
【００６６】
次いで、機能部制御部１４ｃは、読取対象の全てのページの指定部数の画像の取込みが終了したか否かを判定し(ステップＳ１９)、読取対象の全てのページの必要部数分のスキャンが終了していない場合には、ステップＳ１７に進んで、読取対象の次のページの画像の読取処理を行う。一方、読取対象の全てのページの必要部数分の画像の取込みが終了した場合（ステップＳ１９：ＹＥＳ）には、機能部制御部１４ｃは、当該処理を終了する。
【００６７】
以上、本発明を実施形態に基づいて説明したが、本発明は上述した実施の形態に限られず、他の様々な態様に適用可能である。
【００６８】
例えば、上記実施形態では、読取条件をＱＲコードにより表示するようにしていたが、本発明はこれに限られず、例えば、読取条件を文字の画像で表示し、複合機１で文字認識により読取条件を把握するようにしてもよく、要は、複合機１で認識できる態様で表示するようにすればよい。
【００６９】
また、上記実施形態では、読取条件として、読取対象ページ数、読取部数、及び読取エリアの位置情報を用いていたが、本発明はこれに限られず、少なくともいずれかを読取条件として含んでいてもよい。
【００７０】
また、上記実施形態において、電子ペーパー装置５１の制御部５７が各ページを順次切り替えて表示させる動作を、指定された部数分繰り返して実行するようにしていたが、本発明はこれに限られず、例えば、複写機１がソート機能を有している場合には、同一ページを複数回読み取った後、すなわち、複数回の読取動作の光を検知した際に、次のページの画像に切り替えて表示させるようにしてもよい。
【００７１】
また、上記実施形態では、ページ数、部数、読取エリア等の読取条件を電子ペーパー装置５１で入力し、複写機１が電子ペーパー装置５１に表示された読取条件を読み取って認識し、読取動作の制御に用いていたが、本発明はこれに限られず、複写機１のキー部２５、タッチパネル２６によってユーザーが読取条件を入力するようにし、複写機１が入力された読取条件に従って読取動作を制御するようにしてもよい。
【００７２】
また、上記実施形態では、光学センサー５５による読取部３３の光源の光に基づいて読取動作を把握し、ページの切り替えを行うようにしていたが、本発明はこれに限られず、例えば、電子ペーパー装置５１に複合機１による読取動作の間隔を記憶しておき、電子ペーパー装置５１において複合機１の読取動作を開始させた時点からの時間を計測するようにし、計測した時間と、読取動作の間隔とに基づいて、複合機１により次の読取動作が行われる前に、次のページに表示を切り替えるようにしてもよい。
【符号の説明】
【００７３】
１  複合機、１０  制御ユニット、１１  スキャナー機能部、１２  プリンター機能部、１３  ＦＡＸ機能部、１４  ＣＰＵ、１４ａ  受付処理部、１４ｂ  表示制御部、１４ｃ  機能部制御部、１５  ＲＯＭ、１６  ＲＡＭ、１７  ＥＥＰＲＯＭ、１８  入力Ｉ／Ｆ部、１９  表示処理部、２０，２１，２２，２３  通信Ｉ／Ｆ部、２４  バス、２５  キー部、２６  タッチパネル、２７  ＬＣＤ、３１  通信Ｉ／Ｆ部、３２  制御部、３３  読取部、５１  電子ペーパー装置、５２  入力部、５３  通信部、５４  メモリー、５５ａ、５５ｂ  光学センサー、５６  表示制御部、５７  制御部、５８  電子ペーパー部。
【図１】
2010175929.tif 000003
【図２】
2010175929.tif 000004
【図３】
2010175929.tif 000005
【図４】
2010175929.tif 000006